(57)【要約】      （修正有）【課題】折り畳んでコンパクトな状態とすることができ、また、簡単に組み立てることができ、また、企業広告等を印刷するスペースが十分に確保でき、また、ゴミ箱として強度も確保できる容器及び容器セットを提供する。【解決手段】紙製容器は、折り畳み可能な箱形状の本体２と、レジ袋５０の把持部５１が係止される板形状の中板３と、を備え、本体２は、中板３を支持する支持部５Ａを有し、中板３よりも上側がティッシュ収納空間とされ、かつ、中板３よりも下側が、ゴミ投入用開口部６から投入されるゴミがレジ袋５０内に投入可能となるゴミ袋収納空間となる。また、前記ティッシュが収納可能な紙製容器とレジ袋５０とで紙製容器セット１０とすることができる。【選択図】図４
0003200583.tif 000002
【実用新案登録請求の範囲】
【請求項１】
容器であって、
折り畳み可能な箱形状の本体と、
板形状の中板と、
を備え、
前記本体は、
該本体の側壁部から本体の内側へ向けて突出形成されてなり、前記中板を支持する支持部と、
側壁部の、前記支持部によって支持された前記中板よりも下側の位置に設けられたゴミ投入用の開口部と、
該本体の上部に設けられたティッシュ取り出し口部と、
を有し、
前記中板は、把持部付きのゴミ袋の把持部が係止される係止部を備え、
前記中板が前記本体の前記支持部によって支持された状態で、前記本体内の中板よりも上側がティッシュ収納空間とされ、かつ、前記中板よりも下側が、前記ゴミ投入用の開口部から投入されるゴミが前記中板に係止されたゴミ袋内に投入可能となるゴミ袋収納空間とされる
ことを特徴とする容器。
【請求項２】
前記本体は直方体形状であり、
前記支持部は、
前記本体の隣接する側壁部同士によって形成される山折り形状の境界縁部において、互いに平行で設けられている上下一対の切り込み部間の部位が該本体の内部側へ谷折りされてなる部分で構成されており、該谷折りされてなる部分の上縁で中板が支持される
請求項１に記載の容器。
【請求項３】
前記本体には、前記側壁部の上縁から下方へ向かって折り返される折り返し部が設けられており、
前記支持部は、
前記折り返し部の一部が、縦方向に形成された折り線に沿って前記本体の内側へ折り曲げられてなる部分で構成されており、該折り曲げられてなる部分の上縁で中板が支持される
請求項１に記載の容器。
【請求項４】
前記本体は、該本体の底部を遮蔽する底板部を備えている
請求項１乃至請求項３のいずれか１項に記載の容器。
【請求項５】
前記本体は、ティッシュ取り出し口部を有する天板部を備えている
請求項１乃至請求項４のいずれか１項に記載の容器。
【請求項６】
請求項１乃至請求項５のいずれか１項に記載の容器と、把持部付きのゴミ袋としてのレジ袋と、
を備え、前記容器の本体は折り畳まれた状態であることを特徴とする容器セット。
【考案の詳細な説明】
【技術分野】
【０００１】
本考案は、容器及び容器セットに関する。
【背景技術】
【０００２】
従来、例えば特許文献１〜１０に開示されているような、ティッシュペーパーが収納可能なゴミ箱が提案されていることは知られている。
【先行技術文献】
【特許文献】
【０００３】
【特許文献１】特開平８−２５６６号公報
【特許文献２】特開２００５−３２００４８号公報
【特許文献３】特開２００１−２０６４６４号公報
【特許文献４】特開２００３−１６０２０４号公報
【特許文献５】特開平８−２５６６号公報
【特許文献６】特開２００５−３２００４８号公報
【特許文献７】実用新案登録第３１５００３０号公報
【特許文献８】公開実用平２−９７３０２号公報
【特許文献９】特開２００３−３２５３７８号公報
【特許文献１０】特開２００１−６３７７８号公報
【考案の概要】
【考案が解決しようとする課題】
【０００４】
しかしながら、上記特許文献に開示された構成は、販売促進のためのノベルティとして使用するには、コンパクトに折り畳みすることが不可能であったり、組み立てが面倒であったり、企業の広告等を印刷表示する部分の面積が十分でなかったり、あるいはゴミ箱としての強度が十分でなかったりするという問題があった。
【０００５】
そこで本考案は、折り畳んでコンパクトな状態とすることができ、また、簡単に組み立てることができ、また、企業広告等を印刷するスペースが十分に確保でき、また、ゴミ箱として強度も十分に確保できる、容器及び容器セットを提供することを目的とする。
【課題を解決するための手段】
【０００６】
本考案は、容器であって、折り畳み可能な箱形状の本体と、板形状の中板と、を備え、前記本体は、該本体の側壁部から本体の内側へ向けて突出形成されてなり、前記中板を支持する支持部と、側壁部の、前記支持部によって支持された前記中板よりも下側の位置に設けられたゴミ投入用の開口部と、該本体の上部に設けられたティッシュ取り出し口部と、を有し、前記中板は、把持部付きのゴミ袋の把持部が係止される係止部を備え、前記中板が前記本体の前記支持部によって支持された状態で、前記本体内の中板よりも上側がティッシュ収納空間とされ、かつ、前記中板よりも下側が、前記ゴミ投入用の開口部から投入されるゴミが前記中板に係止されたゴミ袋内に投入可能となるゴミ袋収納空間とされることを特徴とする容器である。
【０００７】
かかる構成にあっては、前記本体を箱形状に組み立て、前記中板を前記支持部に載置するだけで、ティッシュが収納可能となり、かつゴミ箱として利用可能となる。換言すれば、いわゆるティッシュボックスのスペースを有効活用することができる。また、ティッシュを真下のスペースにすぐ捨てることができるため、ゴミ箱を探す手間が省ける。また、ゴミが溜まれば、溜まったゴミを、装着したゴミ袋で簡単に捨てることができる。また、構造が複雑化しないため、平滑な部位を側壁部に広く確保できることになり、企業広告等を広く印刷することができる。また、中板は、ゴミ袋を本体内で保持するゴミ袋保持機能を有するほか、本体の水平剛性を向上させる水平剛性保持機能を有するため、ゴミ箱としての強度が十分に確保される。なお、容器としては、当初は別の用途で使用し、その役割を果たした後にティッシュが収容可能なゴミ箱として使用することもできる。
【０００８】
前記構成にあっては、前記本体は直方体形状であり、前記支持部は、前記本体の隣接する側壁部同士によって形成される山折り形状の境界縁部において、互いに平行で設けられている上下一対の切り込み部間の部位が該本体の内部側へ谷折りされてなる部分で構成されており、該谷折りされてなる部分の上縁で中板が支持される構成が提案される。
【０００９】
かかる構成にあっては、前記支持部において、別部材を用いることなく、谷折りされた部位の上縁で中板が支持されるので、簡易な構成であり、かつティッシュを支持する強度が高く維持される。また、前記支持部は、上下方向に座屈し難い構造であるため、中板を安定して支持することができる。
【００１０】
また、前記構成にあって、前記本体には、前記側壁部の上縁から下方へ向かって折り返される折り返し部が設けられており、前記支持部は、前記折り返し部の一部が、縦方向に形成された折り線に沿って前記本体の内側へ折り曲げられてなる部分で構成されており、該折り曲げられてなる部分の上縁で中板が支持される構成が提案される。
【００１１】
かかる構成にあっては、前記支持部において、別部材を用いることなく、折り曲げられた部位の上縁で中板が支持されるので、簡易な構成であり、かつティッシュを支持する強度が高く維持される。また、前記支持部は、上下方向に座屈し難い構造であるため、中板を安定して支持することができる。
【００１２】
また、前記本体は、該本体の底部を遮蔽する底板部を備えていることが望ましい。
【００１３】
かかる構成にあっては、前記本体の水平剛性をさらに向上させることができ、また、投入されたゴミがゴミ袋から外れてしまっても床面にゴミが散乱してしまうことを防止することができる。
【００１４】
さらに、前記本体は、ティッシュ取り出し口部を有する天板部を備えていることが望ましい。
【００１５】
かかる構成にあっては、ティッシュをボックスごと前記本体に収納する場合に、ティッシュを引き出したときにティッシュボックスが意図せず前記本体から抜脱してしまうことを防止することができる。
【００１６】
また、本考案は、上記の容器と、把持部付きのゴミ袋としてのレジ袋と、を備え、前記容器の本体は折り畳まれた状態であることを特徴とする容器セットである。
【００１７】
このように、レジ袋と、折り畳まれた状態の本体を具備する容器とをセットにすることにより、販売促進のためのノベルティとして容器を有効利用することが可能となる。
【考案の効果】
【００１８】
本考案にかかる容器は、折り畳んだ状態で提供でき、また、簡単に組み立てることができ、また、企業広告等を印刷するスペースが十分にあり、また、水平剛性が十分に確保できる効果がある。
【００１９】
さらに本考案に容器セットは、販売促進のためのノベルティとして有効利用することができる効果がある。
【図面の簡単な説明】
【００２０】
【図１】実施例１にかかる紙製容器の外観斜視図である。
【図２】本体に中板を装着する工程を示す説明図である。
【図３】本体にティッシュボックスを収納する工程を示す説明図である。
【図４】紙製容器セットを示す説明図である。
【図５】実施例２にかかる紙製容器の外観斜視図である。
【図６】（ａ）は、本体の平面図であり、（ｂ）は、折り返し部を示す部分拡大正面図である。
【図７】折り畳まれた状態の本体を示す説明図である。
【図８】支持部を拡大して示す部分拡大斜視図である。
【考案を実施するための形態】
【００２１】
以下に本考案を具体化した実施例を詳細に説明する。なお、本考案は、下記に示す実施例に限定されることはなく、適宜設計変更が可能である。
【００２２】
〔実施例１〕
図１等に示すように、ティッシュが収納可能なゴミ箱としての紙製容器１は、縦長な直方体形状の紙製箱体で構成される本体２と、該本体２内に装着される平面視長方形の紙製板部材で構成される中板３とを備えている。
【００２３】
前記本体２は、４面の側壁部１２と、該側壁部１２の少なくともいずれかと連成した底板部１３（図２参照）と、側壁部１２の少なくともいずれかと連成した天板部１４とを有し、組み立てることで折り畳まれた状態から箱体形状とすることができる構造となっている。
【００２４】
また、前記本体２の側壁部１２には、本体２の内側へ向けて突出形成された支持部５Ａが設けられている。さらに詳述すると、前記支持部５Ａは、前記本体２における一の側壁部１２とこれに隣接する側壁部１２によって形成された山折り形状の境界縁部２０に配置されている。そして、該境界縁部２０において、互いに平行で上下一対の切り込み部２２，２２が設けられており、さらに該切り込み部２２間の部位が該本体２の内部側へ谷折りされて該本体２の内側に突出させることが可能となっている。かかる谷折りされてなる谷折り部２３により、支持部５Ａが構成されている。本実施例における前記支持部５Ａは、前記本体２の各境界縁部２０に同じ高さ位置に各々揃えられて同形状に形成されている。
【００２５】
また、前記本体２の支持部５Ａより下側の位置には、ゴミ投入用の開口部６が設けられている。
【００２６】
また、前記本体２の天板部１４には、ティッシュ取り出し口部７が形成されており、組立てた状態で該本体２の上部にティッシュ取り出し口部７が配置される。
【００２７】
前記中板３は、前記本体２の横断面形状に対応した形状・寸法に設定されており、四隅近傍部には、各々切り込み線からなる係止部３１が形成されている。なお、前記係止部３１は、後述するように、レジ袋５０の把持部５１が係止される。
【００２８】
次に、上記構成からなる紙製容器１の組立工程について説明する。
【００２９】
まず、図２に示すように、本体２を箱体として組み立て、前記谷折り部２３を形成することで支持部５Ａを作製する。このとき、天板部１４は開放状態としておく。
【００３０】
そして、前記支持部５Ａの上縁に、レジ袋５０の把持部５１を係止部３１に係止させた中板３を載置する。
【００３１】
次に、図３に示すように、中板３が本体２の支持部５Ａに支持された状態で、中板３よりも上側に形成されたティッシュ収納空間αに市販のティッシュボックスＴを配置する。そして、天板部１４を遮蔽状態とすると、組み立てが完了する。なお、かかる状態にあっては、前記中板３よりも下側が、前記ゴミ投入用開口部６から投入されるゴミが前記レジ袋５０内に投入可能となるゴミ袋収納空間βとなる。
【００３２】
このように前記紙製容器１は、前記本体２を箱形状に組み立て、前記中板３を前記支持部５Ａに載置するだけで、ティッシュボックスＴが収納され、かつゴミ箱として利用可能となる。
【００３３】
また、上述の紙製容器１は、図４に示すように、あらかじめレジ袋５０と組にして、ティッシュが収納可能な紙製容器セット１０としてノベルティ等の商品とすることができる。
【００３４】
上記紙製容器１は、構造が複雑化しないため、平滑な部位を側壁部１２に広く確保できることになり、企業広告等を広く印刷することができる。また、中板３は、レジ袋５０を本体２内で保持するゴミ袋保持機能を有するほか、本体２の水平剛性を向上させる水平剛性保持機能を有するため、ゴミ箱としての強度が十分に確保される。
【００３５】
また、前記本体２は、底板部１３を備えているため、前記本体２の水平剛性をさらに向上させることができる。さらに、前記本体２は、ティッシュ取り出し口部７を有する天板部１４を備えているため、ティッシュを引き出した際にティッシュボックスＴが前記本体２から意図せず抜脱してしまうことを防止することができる。
【００３６】
また、前記構造の支持部５Ａとすることにより、別部材を用いることなく、谷折り部２３の上縁で中板３が支持されるので、中板３が支持された状態でも支持部５Ａが撓んでしまうことが回避でき、中板３を確実に支持することができる。
【００３７】
〔実施例２〕
実施例２の紙製容器１Ｂを図５等に従って説明する。なお、上記実施例１と同様の構成を有するものは同じ符号を付し、説明を簡略又は省略する。
【００３８】
図５に示すように、前記本体２は、上部が開放されており、ティッシュボックスＴをそのまま中板３（隠れて見えない）上に載置することができる。さらに詳述すると、図６（ａ），図６（ｂ）に示すように、該本体２は、前記側壁部１２の上縁から下方へ向かって折り返される折り返し部４０を備えている。
【００３９】
さらに、前記折り返し部４０には、縦方向に形成された折り線４１が形成されており、該折り線４１に沿って前記折り返し部４０の一部が前記本体２の内側へ折り曲げられて折り曲げ部４３が設けられている。かかる折り曲げ部４３により、支持部５Ｂが構成されている。
【００４０】
そして、前記支持部５Ｂの上縁に、中板３が支持される。
【００４１】
かかる構成にあっては、前記天板部１４がない構成となるため、箱の高さサイズが異なるティッシュボックスＴでもティッシュ収納空間αに好適に収納することができる。
【００４２】
また、かかる構成は、側壁部１２に切り込みが形成されないため、側壁部１２における意匠面が広く確保でき、例えば切り込まれた部分によって意匠面が欠けてしまうことがない。
【００４３】
これまでに述べた本考案は実施例１，２の構成に限定されることはなく、本考案の趣旨を逸脱しない範囲で適宜変更することは当然可能である。例えば、実施例１においてゴミ投入用開口部６とティッシュ取り出し口部７とを、あらかじめ孔縁あるいは口縁のみをミシン目で形成して遮蔽された状態としておき、紙製容器１Ａとして組み立てたときに、ミシン目に沿って不要部を切り取り、ゴミ投入用開口部６とティッシュ取り出し口部７とを開口することができるようにしてもよい。具体的には、お菓子入りの容器として本発明の紙製容器１Ａを採用し、側壁部１２にあらかじめ「ミシン目でカットすることでゴミ箱ティッシュケースとしてご利用いただけます」という文言を表示しておけば、パッケージの再利用をアピールすることが可能となる。なお、当然、本発明にかかる容器は、それ単独でノベルティ商品として採用することは可能である。
【符号の説明】
【００４４】
１Ａ，１Ｂ  紙製容器（容器）
２          本体
３          中板
５Ａ，５Ｂ  支持部
６          ゴミ投入用開口部
７          ティッシュ取り出し口部
１０        紙製容器セット
１２        側壁部
１３        底板部
１４        天板部
２０        境界縁部
２２        切り込み部
２３        谷折り部（谷折りされてなる部分）
３１        係止部
４０        折り返し部
４１        折り線
４３        折り曲げ部（折り曲げられてなる部分）
５０        レジ袋（把持部付きのゴミ袋）
５１        把持部
α          ティッシュ収納空間
β          ゴミ袋収納空間
【図１】
0003200583.tif 000003
【図２】
0003200583.tif 000004
【図３】
0003200583.tif 000005
【図４】
0003200583.tif 000006
【図５】
0003200583.tif 000007
【図６】
0003200583.tif 000008
【図７】
0003200583.tif 000009
【図８】
0003200583.tif 000010